(57)【要約】【課題】  多種多様な素材で製造された手袋を、容易に裏返しにすることができる便利な手袋の裏返し用具を提供する。【解決手段】  本体（１）の中央付近に設けた孔（２）に軸（３）をはめ入れてカシメ、この軸（３）を支点に本体（１）を回転可能に接合し、前記本体（１）の一方にハンドル（４）を、他方にロングノーズ（５）を備えた手持ち工具および手袋の裏返し器具において、この手持ち工具および手袋の裏返し器具のロングノーズ（５）の前方内側に、手袋の指を挟み付ける指挟み部（６）を設けて構成したことを特徴とする。【選択図】図１
2008088620.tif 000002
【特許請求の範囲】
【請求項１】
軸（３）を支点に回転する本体（１）の一方にハンドル（４）を、他方にロングノーズ（５）を備えた手持ち工具および手袋の裏返し器具において、前記手持ち工具および手袋の裏返し器具のロングノーズ（５）の前方に、手袋の指を挟み付ける指挟み部（６）を設けたことを特徴とする手袋の裏返し用具。
【発明の詳細な説明】
【技術分野】
【０００１】  本発明は、いろいろな業種で使用され多種多様な素材で製造された手袋に係り、特に厚手の作業用ゴム手袋を裏返しにする場合に用いる手袋の裏返し用具に関んするものである。
【背景技術】
【０００２】  従来より、ゴムなどの素材を用いて製造された作業用手袋においては、使用後の洗浄および乾燥を容易とするため、それを裏返しにする作業が欠かせない。そこで、この作業を行うための手袋の裏返し器の開示がなされている。（特許文献１参照）【０００３】  しかしながら、このような器具の商品化による提供がなされていないため、現状における手袋を裏返しにする作業にあたつては、人それぞれの工夫を用いて行われているものと思われる。【０００４】  なお、本願発明に関連する公知技術として次の特許文献１を挙げることができる。【０００５】
【特許文献１】  実開平０３−２２０９６号公報
【発明の開示】
【発明が解決しようとする課題】
【０００６】  さて、この従来の手袋の裏返し器にあつては、その構造から拡張部の外側または内側を用いる手段により、手袋を裏返しにすることができるものである。【０００７】  そこで、試作品を作って使用してみると、拡張部の外側を用いる手段においては、袖口を深く折り返した後の手袋の指を、拡張部の外側で拡張しながら引き出して裏返しにするには、拡張部の外面とその指の内面とに、強力な摩擦力を作用させてその指を保持しなければならず、例えばゴム手袋であつても、その裏側に綿布あるいは植毛が施された素材の面においては、ゴムのように強力な摩擦力が生じる性質を備えていないので、拡張部で拡張したその指を、引き出して裏返しにしようとしても、摩擦面とその指との接触面が滑つてしまうため、拡張による手段ではその指を裏返しにすることができない。【０００８】  したがつて、この従来の手袋の裏返し器にあつてはその使用範囲が、ゴムのような摩擦力が生じる性質を備えた素材で製造された手袋に限定されるため、使い勝手が悪くて不便に感じるものである。【０００９】  また、拡張部の内側を用いる手段においては、挟み付けた手袋の指を引つ張り出す際に、その指自体の重なり合いによる詰りで抵抗が伴うため、拡張部の内側が滑つて挟み付けた手袋の指が離脱してしまう問題が生じる。【００１０】  この発明は、このような問題を解決しようとするもので、多種多様な素材で製造された手袋を、容易に裏返しにすることができる手袋の裏返し用具を提供することを目的とする。
【課題を解決するための手段】
【００１１】  上記問題を解決するために本発明の手袋の裏返し用具においては、本体の中央付近に設けた孔に軸をはめ入れてカシメ、この軸を支点に本体を回転可能に接合し、前記本体の一方にハンドルを、他方にロングノーズを備えた手持ち工具および手袋の裏返し器具において、この手持ち工具および手袋の裏返し器具のロングノーズの前方内側に、手袋の指を挟み付ける指挟み部を設けて構成したものである。
【発明の効果】
【００１２】  以上説明したように本発明によれば、ロングノーズに指挟み部を設けることにより、手袋の指を挟み付けて引つ張り出して裏返しにするので、従来のもののように、手袋の指を拡張部の外面で保持するための摩擦力の作用を必要とせず、製造に用いられる手袋の素材による使用範囲に限定されることもなく、多種多様な素材で製造された手袋を裏返しにすることができ、使い勝手の良い便利な手袋の裏返し用具を提供することができる。【００１３】  また図３の本発明においては、少し宍出して設けた指挟み部の対向する内側面に、凹凸を施してその内側面の滑りを防止することにより、ロングノーズから手袋の指が離脱する問題を解決することができ、確実に手袋の指を挟み付けて裏返しにすることができる。
【発明を実施するための最良の形態】
【００１４】  以下、本発明の実施の形態を図面に基いて詳細に説明する。【００１５】  図１は本発明の実施の形態を示し、本体１の中央付近に設けた孔２に、軸３をはめ入れてカシメ、この軸３を支点に本体１が交差して回転するように接合している。また本体１の一方にハンドル４を、他方にロングノーズ５を設け、このロングノーズ５の前方内側に手袋の指を挟み付ける指挟み部６を設けている。さらに、この指挟み部６を手の中指の第一間節ぐらいの大きさに設け、手袋の指を損傷させることなく安定して挟み付けることができるようにしている。【００１６】  本発明は以上構成からなるのでこれを使用するときは、図５に示すように、使用後の作業用ゴム手袋の袖を深く折り返してその指の開口を外に出し、この開口の中で拡開した指挟み部６の開口内に、片方の手の指でその手袋の指先を押し込み、この押し込んだ指先をハンドル４の絞りで挟み付けて引つ張り出し、この動作を繰り返し行うことによつて手袋を容易に裏返しすることができる。【００１７】  なお、手袋の指を引つ張り出す際には、その指自体の重なり合いによる詰りで抵抗を伴うが、ハンドル４に捻りを加えることにより、その詰りを解きほぐしながら、簡単にその指を引つ張り出して裏返しにすることができる。【００１８】  さらに指挟み部６の形状については、図１に示す形に限定されるものではなく例えば（馬蹄形、円形、楕円形、扇形、方形）などに設けて必要に応じて面取り加工を施せば、図１のものとほぼ同様の作用と効果を得ることができる。【００１９】  また、図１、２の本発明においてロングノーズとは、孔２の外径からその先端までの長さが少なくとも２５ｍｍを有し、軸３付近からその先端に向つてその太さが徐々に細くまたは薄くなる形状を有しているものである。
【実施例１】
【００２０】  図２は実施例１を示し、図１の実施の形態のものと比較して指挟み部６の形を断面円弧状に設けている点が相違している。このような形状にすると、指挟み部６が円筒状に拡開して片方の手の指で手袋の指を押し込む際に、その指が吸い込まれるように折れ曲つて指挟み部６の開口内に収まる利点がある。なお使い方については図１のものと同じである。
【実施例２】
【００２１】  図３は実施例２を示し、本体１の中央付近に設けて組み合せた対向する一対の軸受け７に、軸３をはめ入れてカシメている。軸受け７は軸３を支点に天秤のように動き、軸３にはバネ８と取り付けている。また、ハンドル４の形を半円筒状に設け、このハンドル４の片方には、押圧段部９を形成している。さらに、ロングノーズ５の形を断面が半楕円形状で、その先端部を円弧状に設けている。ロングノーズ５の前方内側には指挟み部６を少し宍出して設け、その対向する内側面に滑りを防止するための凹凸を施している。【００２２】  そして、図１の実施の形態で述べた手順により、指挟み部６の開口内に手袋の指を押し込むと、押圧段部９に加える手の圧力とバネ８の反発力との作用により、図４に示す指挟み部６の凹凸が滑りを防止するため、確実に手袋の指を引つ張り出して裏返しにすることができる。
【図面の簡単な説明】
【００２３】
【図１】  本発明の実施の形態に係る手袋の裏返し用具の斜視図である。
【図２】  本発明の実施例１を示す斜視図である。
【図３】  本発明の実施例２を示す斜視図である。
【図４】  実施例２の指挟み部の凹凸を示す正面図である。
【図５】  図１の実施の形態の使用状態を示す説明図である。
【符号の説明】
【００２４】  （１）本体、（２）孔、（３）軸、（４）ハンドル、（５）ロングノーズ、（６）指挟み部、（７）軸受け、（８）バネ、（９）押圧段部
【図１】
2008088620.tif 000003
【図２】
2008088620.tif 000004
【図３】
2008088620.tif 000005
【図４】
2008088620.tif 000006
【図５】
2008088620.tif 000007